(57)【要約】【課題】画像データの再生条件を変更する場合でも再生条件を変更しない場合でも、簡単に記録媒体を作成することができる記録プログラムの提供。【解決手段】コンピュータを、再生条件（再生順序やスライド間隔、スライド効果、ＢＧＭなど）が変更できない第１のモードと再生条件が変更可能な第２のモードを選択可能にするモード選択手段、第２のモードが選択された場合に、変更された再生条件に基づいて再生指示情報を修正する再生指示情報作成手段、第１のモードが選択された場合には画像データ及び予め記憶された再生指示情報を記録媒体に記録し、第２のモードが選択された場合には画像データ及び修正された再生指示情報を記録媒体に記録するデータ記録手段、として機能させる。これにより、画像データの再生条件を変更する場合でも再生条件を変更しない場合でも、簡単に記録媒体を作成することができる。【選択図】図８
2006086802.tif 000002
【特許請求の範囲】
【請求項１】
入力された画像データと、設定された前記画像データの再生条件に基づいて作成された再生指示情報とが予め記憶された装置で動作する記録プログラムであって、
コンピュータを、
前記再生条件が変更できない第１のモードと、前記再生条件が変更可能な第２のモードとを選択可能にするモード選択手段、
前記第２のモードが選択された場合に、変更された再生条件に基づいて、予め記憶された前記再生指示情報を修正する再生指示情報作成手段、
前記第１のモードが選択された場合は、前記画像データと予め記憶された前記再生指示情報とを記録媒体に記録させ、前記第２のモードが選択された場合は、前記画像データと修正された前記再生指示情報とを前記記録媒体に記録させるデータ記録手段、として機能させることを特徴とする記録プログラム。
【請求項２】
入力された画像データと、設定された前記画像データの再生条件に基づいて作成された再生指示情報と、前記画像データ及び前記再生指示情報に基づいて生成された特定種類のデータとが予め記憶された装置で動作する記録プログラムであって、
コンピュータを、
前記再生条件が変更できない第１のモードと、前記再生条件が変更可能な第２のモードとを選択可能にするモード選択手段、
前記第２のモードが選択された場合に、変更された再生条件に基づいて、予め記憶された前記再生指示情報を修正する再生指示情報作成手段、
前記画像データと修正された前記再生指示情報とに基づいて、特定種類のデータを生成するデータ生成手段、
前記第１のモードが選択された場合は、予め記憶された前記特定種類のデータを記録媒体に記録させ、前記第２のモードが選択された場合は、生成された前記特定種類のデータを前記記録媒体に記録させるデータ記録手段、として機能させることを特徴とする記録プログラム。
【請求項３】
前記データ記録手段は、前記特定種類のデータと共に、該特定種類のデータの基となる、前記画像データと前記再生指示情報とを前記記録媒体に記録させることを特徴とする請求項２記載の記録プログラム。
【請求項４】
前記特定種類のデータは、Ｖｉｄｅｏ−ＣＤ形式、ＤＶＤ−Ｖｉｄｅｏ形式、ＨＤＴＶ形式のいずれかの形式のデータを含むことを特徴とする請求項２又は３に記載の記録プログラム。
【請求項５】
前記再生条件は、前記画像データに基づく画像の再生順、該画像をスライド表示する際のスライド間隔又はスライド効果、前記画像データと共に再生する音楽の種類のいずれかを含むことを特徴とする請求項１乃至４のいずれか一に記載の記録プログラム。
【発明の詳細な説明】
【技術分野】
【０００１】
本発明は、画像データを記録するための記録プログラムに関する。
【背景技術】
【０００２】
近年、写真に関連する様々なサービスが提供されるようになってきている。例えば、写真を撮影したデジタルカメラやデジタルカメラ用メディアをミニラボ等の写真店に持ち込めば、店舗内に設けられた無人端末（キオスク）や店頭端末などを用いて、デジタルカメラやメディアに記録された画像データや、該画像データを再生させるためのアプリケーション、再生指示情報をＣＤ−Ｒ、ＤＶＤ−Ｒなどの記録媒体に書き込むことができる（例えば、特開平５−１８２３７３号公報等）。
【０００３】
また、デジタルカメラやメディアから読み取った画像データに基づいて、ＤＶＤプレーヤやＤＶＤレコーダ、ＨＤＤレコーダ、ゲーム機などで再生可能な形式のデータを生成し、元の画像データと生成したデータとをＣＤ−ＲやＤＶＤ−Ｒなどの記録媒体に書き込むこともできる。
【０００４】
【特許文献１】特開平５−１８２３７３号公報（第４−６頁、第３図）
【発明の開示】
【発明が解決しようとする課題】
【０００５】
上記サービスを利用することにより読み取った画像データや生成されたデータが記録された記録媒体を入手することができ、また、コピープログラムなどのアプリケーションを用いることにより入手した記録媒体を元にして新たな記録媒体を作成することができる。そして、これらの記録媒体をコンピュータ機器や画像再生機器に装填することにより、画像データに基づく画像を再生することができる。
【０００６】
ここで、新たな記録媒体を作成する場合として、同じ再生条件（例えば、画像データの再生順やスライド間隔、スライド効果、ＢＧＭの種類などの条件）で画像データが再生される記録媒体を望む場合もあれば、異なる再生条件で画像データが再生される記録媒体を望む場合もあるが、従来のコピープログラムでは再生条件に基づいて作成された再生指示情報もそのままに複製されるため、異なる再生条件で画像データが再生される記録媒体を作成することはできない。そのため、再生条件を変更する場合には、一連の記録手順（画像データの読み取り、画像データの選択、再生順やスライド間隔、スライド効果、ＢＧＭの種類の選択など）を初めから行わなければならず、簡単に再生条件を変更した記録媒体を作成することができないという問題があった。
【０００７】
また、このような問題はコンピュータ機器のハードディスクなどに記憶された画像データを記録媒体に記録する場合にも同様に生じる。
【０００８】
本発明は、上記問題点に鑑みてなされたものであって、その主たる目的は、画像データの再生条件を変更する場合でも再生条件を変更しない場合でも、簡単に記録媒体を作成することができる記録プログラムを提供することにある。
【課題を解決するための手段】
【０００９】
上記目的を達成するため、本発明の記録プログラムは、入力された画像データと、設定された前記画像データの再生条件に基づいて作成された再生指示情報とが予め記憶された装置で動作する記録プログラムであって、コンピュータを、前記再生条件が変更できない第１のモードと、前記再生条件が変更可能な第２のモードとを選択可能にするモード選択手段、前記第２のモードが選択された場合に、変更された再生条件に基づいて、予め記憶された前記再生指示情報を修正する再生指示情報作成手段、前記第１のモードが選択された場合は、前記画像データと予め記憶された前記再生指示情報とを記録媒体に記録させ、前記第２のモードが選択された場合は、前記画像データと修正された前記再生指示情報とを前記記録媒体に記録させるデータ記録手段、として機能させるものである。
【００１０】
また、本発明の記録プログラムは、入力された画像データと、設定された前記画像データの再生条件に基づいて作成された再生指示情報と、前記画像データ及び前記再生指示情報に基づいて生成された特定種類のデータとが予め記憶された装置で動作する記録プログラムであって、コンピュータを、前記再生条件が変更できない第１のモードと、前記再生条件が変更可能な第２のモードとを選択可能にするモード選択手段、前記第２のモードが選択された場合に、変更された再生条件に基づいて、予め記憶された前記再生指示情報を修正する再生指示情報作成手段、前記画像データと修正された前記再生指示情報とに基づいて、特定種類のデータを生成するデータ生成手段、前記第１のモードが選択された場合は、予め記憶された前記特定種類のデータを記録媒体に記録させ、前記第２のモードが選択された場合は、生成された前記特定種類のデータを前記記録媒体に記録させるデータ記録手段、として機能させるものである。
【００１１】
本発明においては、前記データ記録手段は、前記特定種類のデータと共に、該特定種類のデータの基となる、前記画像データと前記再生指示情報とを前記記録媒体に記録させる構成とすることができる。
【００１２】
また、本発明においては、前記特定種類のデータは、Ｖｉｄｅｏ−ＣＤ形式、ＤＶＤ−Ｖｉｄｅｏ形式、ＨＤＴＶ形式のいずれかの形式のデータを含むことが好ましい。
【００１３】
また、本発明においては、前記再生条件は、前記画像データに基づく画像の再生順、該画像をスライド表示する際のスライド間隔又はスライド効果、前記画像データと共に再生する音楽の種類のいずれかを含むことが好ましい。
【００１４】
このように、本発明の構成によれば、画像データの再生条件が変更できない第１のモードと、再生条件の変更が可能な第２のモードとが選択可能になり、第１のモードが選択された場合には、画像データ及び予め記憶された再生指示情報、又は予め記憶された特定種類のデータが記録媒体に記録され、第２のモードが選択された場合には、変更された再生条件に基づいて再生指示情報が修正され、画像データ及び修正された再生指示情報、又は、画像データ及び修正された再生指示情報に基づいて生成された特定種類のデータが記録媒体に記録されるため、画像データの再生条件を変更する場合でも再生条件を変更しない場合でも、簡単に記録媒体を作成することができる。
【発明の効果】
【００１５】
以上説明したように、本発明の記録プログラムによれば、画像データの再生条件を変更する場合でも再生条件を変更しない場合でも、簡単に記録媒体を作成することができる。
【００１６】
その理由は、表示手段には再生条件（再生順序やスライド間隔、スライド効果、ＢＧＭの種類など）が変更できない第１のモードと、再生条件が変更可能な第２のモードとが選択可能に表示され、第１のモードが選択された場合には、画像データと予め記憶された再生指示情報とが記録媒体に記録され、第２のモードが選択された場合には、再生条件の変更が可能となり、変更された再生条件に基づいて再生指示情報が修正され、画像データと修正された再生指示情報とが記録媒体に記録されるからである。
【００１７】
また、画像データに基づいて特定種類のデータ（画像再生機器用データ）が生成される場合には、第１のモードが選択された場合には、予め記憶された特定種類のデータが記録媒体に記録され、第２のモードが選択された場合には、再生条件の変更が可能となり、変更された再生条件に基づいて再生指示情報が修正され、画像データ及び修正された再生指示情報に基づいて特定種類のデータが生成され、生成された特定種類のデータが記録媒体に記録されるからである。
【発明を実施するための最良の形態】
【００１８】
本発明の記録プログラムは、その好ましい一実施の形態において、入力された画像データと、画像データを再生させるために予め設定された再生条件に基づいて作成された再生指示情報とが記憶手段に予め記憶された装置で動作するものであり、コンピュータを、再生条件（再生順序やスライド間隔、スライド効果、ＢＧＭの種類など）が変更できない第１のモードと再生条件が変更可能な第２のモードを選択可能にするモード選択手段、第２のモードが選択された場合に、変更された再生条件に基づいて、再生指示情報を修正する再生指示情報作成手段、第１のモードが選択された場合には画像データと予め記憶された再生指示情報とを記録媒体に記録し、第２のモードが選択された場合には画像データと修正された再生指示情報とを記録媒体に記録するデータ記録手段、として機能させる。これにより、画像データの再生条件の変更を希望する場合でも再生条件の変更を希望しない場合でも、簡単に記録媒体を作成することができる。
【実施例１】
【００１９】
上記実施形態について詳細に説明すべく、本発明の第１の実施例に係る記録プログラムについて、図１乃至図１５を参照して説明する。図１は、本実施例に係る記録装置の構成を模式的に示す外観図であり、図２乃至図５は、そのバリエーションを示す図である。また、図６は、記録装置の機能を示すブロック図であり、図７及び図８は、記録装置の処理手順を示すフローチャート図である。また、図９は、記録媒体におけるデータの記録領域を示す図、図１０は記録媒体のフォルダ構造の一例を示す図、図１１は記録媒体（ＣＤ−Ｒ）の構造を模式的に示す図である。また、図１２乃至図１５は、記録装置の表示手段に表示される画面の構成例を示す図である。
【００２０】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１０を介してサーバ１１から画像データなどをダウンロードするネットワーク接続部等と、ＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４と、ボタン、キーボード、マウス等の操作手段６及びＬＣＤ、ＣＲＴ等の表示手段５とを備えている。
【００２１】
また、記録装置１に備える主な手段をブロック図で示すと図６のようになり、メディア装填部２や機器接続部３、ネットワーク接続部などを用いて画像データを入力するデータ入力手段１２と、表示手段５及び操作手段６を用いて、画像データの再生条件（例えば、画像データに基づく画像を音楽付きスライドショーとして再生する場合は再生順やスライド間隔、スライド効果、画像データと共に再生するＢＧＭの種類など）が変更できないモード（以下、第１のモードと呼ぶ。）と再生条件が変更可能なモード（以下、第２のモードと呼ぶ。）とを選択可能にするモード選択手段１３と、画像データの再生条件に基づいて再生指示情報を作成する再生指示情報作成手段１４と、記録媒体装填部４に装填された記録媒体９に画像データや再生指示情報などを記録させるデータ記録手段１５と、画像データと共に再生される音楽データやスライドショープログラム等のアプリケーション、読み取った画像データや作成された再生指示情報などを記憶するハードディスクなどの記憶手段１６とを備えている。
【００２２】
なお、本実施例では、読み取った画像データと作成された再生指示情報とを一旦ハードディスクなどの記憶手段１６に記憶する構成としているが、画像データや再生指示情報の保管場所は特に限定されず、読み取った画像データと作成された再生指示情報とを一旦記録媒体９に記録し、その後、画像データと予め記録された再生指示情報又は変更した再生条件に基づいて修正された再生指示情報とを別の記録媒体９に記録する構成としてもよい。
【００２３】
また、上記各手段は記録装置１内にハードウェアとして構成されていてもよいし、コンピュータを、少なくともモード選択手段１３、再生指示情報作成手段１４、データ記録手段１５として機能させる記録プログラムとして構成し、該記録プログラムをコンピュータにインストールして機能させる構成としてもよい。また、図１では記録装置１としてパーソナルコンピュータなどのコンピュータ機器を示しているが、記録装置１の形態は任意であり、例えば、図２に示すように写真店やコンビニエンスストアなどの店舗に設置されるキオスク（無人端末）などとしたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしてもよいし、演算処理機能を備えたカーナビゲーション機器などとすることもできる。
【００２４】
以下、画像データ及び再生指示情報を記録媒体９に記録する手順について説明するが、その前に、記録装置１を用いて画像データを読み取って再生指示情報と共に記憶手段１６に記憶する手順について、図７のフローチャート図を参照して説明する。
【００２５】
まず、ステップＳ１０１で、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ１０２で、データ入力手段１２を用いて、デジタルカメラ７やメディア８に記録された画像データやサーバ１１に記録された画像データを読み取り、必要に応じて、表示手段５や操作手段６を用いて画像データを選択する。
【００２６】
次に、ステップＳ１０３で、再生指示情報作成手段１４を用いて、読み取った画像データを再生（再生の方法は限定されないが、ここではスライドショーとして再生するものとする。）させるための再生条件に基づいて再生指示情報を作成する。なお、本ステップで生成される再生指示情報は、ユーザが設定した再生条件に基づいて作成されるものとしてもよいし、予め定められた再生条件（デジタルカメラ７やメディア８から読み取った順に、予め定められたスライド間隔、スライド効果、ＢＧＭで画像データをスライドショーとして再生させる条件）に基づいて作成されるものとしてもよい。また、再生指示情報の形式は任意であり、スライドショープログラムなどの再生のためのアプリケーションで利用可能な形式であればよく、例えば、テキスト形式のファイルとしてもよいし、写真業界で推奨されている専用のファイル（ｐｖｍ形式のファイル）としてもよいし、メタデータなどとしてもよい。
【００２７】
次に、ステップＳ１０４で、読み取った画像データと作成された再生指示情報とを記憶手段１６に記憶して一連の処理を終了する。
【００２８】
次に、本実施例の記録プログラムを用いて、画像データと再生指示情報とを記録媒体９に記録する手順について、図８のフローチャート図を参照して説明する。
【００２９】
まず、ステップＳ２０１で、記録装置１の記録媒体装填部４に記録媒体９を装填する。この記録媒体９として任意の記録媒体を用いてもよいが、特定の記録媒体９に対してのみ画像データや再生指示情報の記録を許可するようにしてもよい。その場合は、記録媒体９の所定の領域に記録媒体９を識別するための識別情報が記録されているかに基づいて該記録媒体９が特定の記録媒体であるかを識別することもできる。その際、この識別情報は適正な記録媒体９であるかを判定するために設けるものであり、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３０】
ここで、一般的な記録媒体９の構造について、図１１を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３１】
次に、ステップＳ２０２で、モード選択手段１３は、再生条件が変更できない第１のモードと、再生条件が変更可能な第２のモードとをユーザに選択させるための画面を表示手段５に表示させる。このモード選択画面の構成は任意であり、例えば、図１２に示すように、第１のモードを選択するボタン（”そのままＣＤ−Ｒに記録する”ボタン）と、第２のモードを選択するボタン（”再生条件を変えてＣＤ−Ｒに記録する”ボタン）とが選択可能に表示される画面構成とすることができる。
【００３２】
そして、ステップＳ２０３で、再生条件が変更できないモード（第１のモード）が選択された場合は、ステップＳ２０７で、記憶手段１６に記憶されている画像データと再生指示情報とをそのまま記録媒体９に記録し、再生条件が変更可能なモード（第２のモード）が選択された場合は、ステップＳ２０４で再生条件の変更を行う。
【００３３】
この再生条件の変更方法は任意であるが、例えば、図１３乃至図１５に示すような画面を用いて変更することができる。具体的には、第２のモードを選択すると、図１３に示すような画像読み込み画面１９が表示され、操作手段６を用いて画像データの供給元を示すタグ表示欄２０の中から所望のアルバムを選択すると、アルバム表示欄２１にはアルバムを構成する各々の画像が予め定められた再生条件で指定された順番で表示される。
【００３４】
そして、画像の再生順を変更する場合には、操作手段６を用いて作業メニュー欄２２から”順番を変える”を選択すると、表示手段５に図１４に示すような再生順変更画面２３が表示され、一覧表示された画像の中から順番を変更したい画像を選択して所望の位置に移動させることにより再生順を変更することができる。また、スライド間隔やスライド効果（例えば、フェードイン／フェードアウトなどの表示効果）などのスライド条件を変更する場合には、”スライド条件の変更”を選択して、図示しないスライド条件の変更画面を表示手段５に表示させ、操作手段６を用いてスライド条件を設定する。また、画像と共に再生されるＢＧＭの種類を選択する場合には、作業メニュー欄２２から”ＢＧＭを選ぶ”を選択すると、表示手段５に図１５に示すようなＢＧＭ変更画面２４が表示され、”予め用意された音楽から選ぶ”又は”自分の音楽ファイルから選ぶ”又は”音楽ＣＤから選ぶ”のいずれかを選択し、一覧表示された音楽ファイルの中から所望のＢＧＭを選択する。なお、ここでは再生条件として、画像の再生順、スライド間隔、スライド効果、ＢＧＭの種類を例にして説明したが、再生条件は画像データの再生に関連するものであればよく、上記以外の他の条件を用いてもよい。
【００３５】
次に、ステップＳ２０５で、再生指示情報作成手段１４は、予め記憶手段１６に記憶された再生指示情報に記述された再生条件を、ステップＳ２０４で設定した再生条件に修正する。その後、ステップＳ２０６で、画像データと修正された再生指示情報とを記録媒体９に記録して一連の処理を終了する。
【００３６】
上記手順で作成された記録媒体９は、例えば、図９に示すようになり、最も内側の論理アドレス領域外には必要に応じて所定の識別情報が記録され、その外側の論理アドレス領域には、少なくとも画像データと再生指示情報とが記録される。なお、本明細書における論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００３７】
また、上記手順で作成された記録媒体９のディレクトリ構造は、例えば、図１０に示すようになり、”PS_Roll”フォルダ内に画像データが格納され、”APPL”フォルダ内にスライドショープログラムやスライドショーの再生指示情報（Slidesetting.ini）が格納され、必要に応じて、記録媒体９に関する各種情報が記述された特定の情報ファイル（index.pvm）や自動起動ファイル（Autrun.inf）などが記録される。
【００３８】
なお、画像データのディレクトリ構造は任意であるが、画像データをコンピュータ機器などにバックアップした場合における管理を容易にするために、例えば、図１０に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００３９】
このように、本実施例の記録プログラムでは、画像データの再生条件が変更できない第１のモードと、画像データの再生条件が変更可能な第２のモードとを選択可能に表示し、第１のモードが選択された場合には、予め記憶手段１６に記憶された画像データ及び再生指示情報を記録媒体９に記録し、第２のモードが選択された場合には、再生条件の設定画面を表示させ、変更された再生条件に基づいて再生指示情報を修正し、画像データ及び修正された再生指示情報を記録媒体９に記録する制御を行うため、画像データの再生条件を変更する場合でも再生条件を変更しない場合でも、簡単に記録媒体を作成することができる。
【実施例２】
【００４０】
次に、本発明の第２の実施例に係る記録プログラムについて、図１６乃至図２０を参照して説明する。図１６は、本実施例に係る記録装置の機能を示すブロック図であり、図１７及び図１８は、記録装置の処理手順を示すフローチャート図である。また、図１９は、記録媒体におけるデータの記録領域を示す図であり、図２０は記録媒体のフォルダ構造の一例を示す図である。
【００４１】
前記した第１の実施例では、画像データをパーソナルコンピュータなどのコンピュータ機器で再生することを前提にして、記録媒体９には画像データと再生指示情報とを記録したが、画像データをＶｉｄｅｏ−ＣＤ形式などの特定種類のデータに変換すれば、ＤＶＤプレーヤやＤＶＤレコーダ、ＨＤＤレコーダ、ゲーム機等の画像再生機器でもスライドショーを再生することが可能となる。そこで、本実施例では、記録媒体９に特定種類のデータを記録する場合について説明する。
【００４２】
本実施例の場合、記録装置１に備える主な手段をブロック図で示すと図１６のようになり、メディア装填部２や機器接続部３、ネットワーク接続部などを用いて画像データを入力するデータ入力手段１２と、入力された画像データをＤＶＤプレーヤやＤＶＤレコーダ、ＨＤＤレコーダ、ゲーム機等の画像再生機器で読み取り可能なＶｉｄｅｏ−ＣＤ形式、ＤＶＤ−Ｖｉｄｅｏ形式、ＨＤＴＶ形式などの特定種類のデータ（以下、画像再生機器用データと呼ぶ。）を生成するデータ生成手段１７と、表示手段５及び操作手段６を用いて、画像データの再生条件が変更できないモード（第１のモード）と変更可能なモード（第２のモード）とを選択可能にするモード選択手段１３と、画像データの再生条件に基づいて再生指示情報を作成する再生指示情報作成手段１４と、記録媒体装填部４に装填された記録媒体９に再生指示情報に基づいて生成された特定種類のデータなどを記録させるデータ記録手段１５と、画像データと共に再生される音楽データやスライドショープログラム等のアプリケーション、読み取った画像データや作成された再生指示情報、画像データ及び作成された再生指示情報に基づいて生成された画像再生機器用データなどを記憶するハードディスクなどの記憶手段１６とを備えている。
【００４３】
なお、上記各手段は記録装置１内にハードウェアとして構成されていてもよいし、コンピュータを、少なくともデータ生成手段１７、モード選択手段１３、再生指示情報作成手段１４、データ記録手段１５として機能させる記録プログラムとして構成し、該記録プログラムをコンピュータにインストールして機能させる構成としてもよく、また、記録装置１の形態は任意であり、コンピュータ機器や、キオスク、専用のセットトップボックス、ポータブルライター、演算処理機能を備えるＨＤＤレコーダやＤＶＤレコーダ、ゲーム機、演算処理機能を備えたカーナビゲーション機器などとすることもできる。
【００４４】
以下、画像再生機器用データを記録媒体９に記録する手順について説明するが、その前に、記録装置１を用いて読み取った画像データから画像再生機器用データを生成して記憶手段１６に記憶する手順について、図１７のフローチャート図を参照して説明する。
【００４５】
まず、ステップＳ３０１で、第１の実施例と同様に、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ３０２で、データ入力手段１２を用いて、デジタルカメラ７やメディア８に記録された画像データやサーバ１１に記録された画像データを読み取り、必要に応じて、表示手段５や操作手段６を用いて画像データを選択する。
【００４６】
次に、ステップＳ３０３で、再生指示情報作成手段１４を用いて、ユーザが設定した再生条件、又は、予め定められた再生条件に基づいて再生指示情報を作成する。なお、再生指示情報の形式は任意であり、スライドショープログラムなどの画像再生アプリケーションで利用可能な形式であればよいが、例えば、テキスト形式のファイルやｐｖｍ形式のファイル、メタデータなどとすることができる。
【００４７】
次に、ステップＳ３０４で、データ生成手段１７を用いて、読み取った画像データに基づいて動画データを生成した後、該動画データをＤＶＤプレーヤやＤＶＤレコーダ、ＨＤＤレコーダ、ゲーム機等の画像再生機器で再生可能なデータ（Ｖｉｄｅｏ−ＣＤ形式、ＤＶＤ−Ｖｉｄｅｏ形式、ＨＤＴＶ形式などのデータ）に変換する。上記画像データから動画データを作成する方法は特に限定されないが、例えば、画像データをスライドショーのように表示する場合は、画像データにスライド表示の時間分の差分０のデータを付加して動画データを生成したり、画像データにスライドショープログラムで設定されたスライド効果に基づく差分データを付加して動画データを生成すればよい。また、必要に応じて、読み取った画像データのデータサイズを縮小したサムネイル画像データやスクリーンネイル画像データなどの縮小画像データを生成する。
【００４８】
次に、ステップＳ３０５で、生成した画像再生機器用データと、読み取った画像データ、作成した再生指示情報などを記憶手段１６に記憶して一連の処理を終了する。
【００４９】
次に、本実施例の記録プログラムを用いて、画像再生機器用データを記録媒体９に記録する手順について、図１８のフローチャート図を参照して説明する。
【００５０】
まず、ステップＳ４０１で、記録装置１の記録媒体装填部４に記録媒体９を装填し、必要に応じて、記録媒体９の所定の領域に記録媒体９を識別するための識別情報が記録されているかに基づいて該記録媒体９が特定の記録媒体であるかを識別する。
【００５１】
次に、ステップＳ４０２で、モード選択手段１３は、例えば、図１２に示すように、再生条件が変更できない第１のモードと、再生条件が変更可能な第２のモードをユーザに選択させるためのモード選択画面１８を表示手段５に表示させる。
【００５２】
そして、ステップＳ４０３で、再生条件が変更できないモード（第１のモード）が選択された場合は、ステップＳ４０９で、データ記録手段１５を用いて、記憶手段１６に記憶された画像再生機器用データをそのまま新たな記録媒体９の内側に書き込み、必要に応じてセッションをクローズし、ステップＳ４１０で、必要に応じて記憶手段１６に記憶された画像データと再生指示情報とを画像再生機器用データの外側に書き込む。また、再生条件が変更可能なモード（第２のモード）が選択された場合は、ステップＳ４０４で再生条件の変更を行う。
【００５３】
この再生条件の変更方法は任意であるが、第１の実施例と同様に、表示手段５に図１３に示すような画像読み込み画面１９を表示させ、画像の再生順を変更する場合には、操作手段６を用いて作業メニュー欄２２から”順番を変える”を選択して、表示手段５に図１４に示すような再生順変更画面２３を表示させ、順番を変更したい画像を所望の位置に移動させることにより再生順を変更する。また、スライド間隔やスライド効果などのスライド条件を変更する場合には、”スライド条件の変更”を選択して、図示しないスライド条件の変更画面を表示手段５に表示させてスライド条件を設定する。また、画像と共に再生されるＢＧＭの種類を選択する場合には、作業メニュー欄２２から”ＢＧＭを選ぶ”を選択して、表示手段５に図１５に示すようなＢＧＭ変更画面２４を表示させて所望のＢＧＭを選択する。
【００５４】
次に、ステップＳ４０５で、再生指示情報作成手段１４は、予め記憶手段１６に記憶された再生指示情報に記述された再生条件を、ステップＳ４０４で設定された再生条件に修正する。
【００５５】
次に、ステップＳ４０６で、データ生成手段１３を用いて、画像データと修正した再生指示情報に基づいて動画データを生成した後、該動画データをＤＶＤプレーヤやＤＶＤレコーダ、ＨＤＤレコーダ、ゲーム機等の画像再生機器で再生可能なデータ（Ｖｉｄｅｏ−ＣＤ形式、ＤＶＤ−Ｖｉｄｅｏ形式、ＨＤＴＶ形式などのデータ）に変換する。
【００５６】
次に、ステップＳ４０７で、データ記録手段１５を用いて、生成した画像再生機器用データを記録媒体９の内側に書き込み、必要に応じてセッションをクローズした後、ステップＳ４０８で、必要に応じて、読み取った画像データや修正した再生指示情報、縮小画像データ、音楽データなどを画像再生機器用データの外側に書き込んで一連の処理を終了する。
【００５７】
上記手順で作成された記録媒体９は、例えば、図１９に示すようになり、最も内側の論理アドレス領域外には必要に応じて所定の識別情報が記録され、その外側の論理アドレス領域の内側には画像再生機器用データが記録され、更にその外側の領域には必要に応じて画像データや再生指示情報などが記録される。また、上記手順で作成された記録媒体９のディレクトリ構造は、例えば、図２０に示すようになり、”PS_Roll”フォルダ内に画像データやサムネイル画像データ、スクリーンネイル画像データが格納され、”APPL”フォルダ内にスライドショープログラムやスライドショーの再生指示情報（Slidesetting.ini）が格納され、必要に応じて記録媒体９に関する各種情報が記述された特定の情報ファイル（index.pvm）や自動起動ファイル（Autrun.inf）などが記録され、また、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどからなる画像再生機器用データが記録される。なお、本実施例においても画像データのディレクトリ構造は任意であり、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx）などを作成したり、各々の画像データをCCYYMMDDxxxxxxなどにリネームすることもできる。
【００５８】
このように、本実施例の記録プログラムでは、画像データの再生条件が変更できない第１のモードと、画像データの再生条件が変更可能な第２のモードとを選択可能に表示し、第１のモードが選択された場合には、予め記憶された画像再生機器用データを記録媒体９に記録し、第２のモードが選択された場合には、再生条件の設定画面を表示させ、変更された再生条件に基づいて再生指示情報を修正し、修正された再生指示情報に基づいて新たな画像再生機器用データを生成して記録媒体９に記録する制御を行うため、画像データの再生条件を変更する場合でも再生条件を変更しない場合でも、簡単に記録媒体を作成することができる。
【００５９】
なお、上記各実施例では、再生条件が変更できない第１のモードと再生条件が変更可能な第２のモードの２つのモードを選択可能としたが、本発明は上記実施例に限定されるものではなく、上記２つのモード以外のモードを追加する構成としてもよい。
【図面の簡単な説明】
【００６０】
【図１】本発明の第１の実施例に係る記録装置の外観構成を示す図である。
【図２】本発明の第１の実施例に係る記録装置の他の外観構成を示す図である。
【図３】本発明の第１の実施例に係る記録装置の他の外観構成を示す図である。
【図４】本発明の第１の実施例に係る記録装置の他の外観構成を示す図である。
【図５】本発明の第１の実施例に係る記録装置の他の外観構成を示す図である。
【図６】本発明の第１の実施例に係る記録装置の構成を示すブロック図である。
【図７】本発明の第１の実施例に係る記録装置を用いた画像データ及び再生指示情報の記憶手順を示すフローチャート図である。
【図８】本発明の第１の実施例に係る記録装置を用いた記録媒体の作成手順を示すフローチャート図である。
【図９】本発明の第１の実施例の記録媒体におけるデータの記録領域を示す図である。
【図１０】本発明の第１の実施例の記録媒体におけるデータのフォルダ構造を示す図である。
【図１１】記録媒体の構造を模式的に示す図である。
【図１２】本発明の第１の実施例の記録装置の表示手段に表示される画面（モード選択画面）の構成例を示す図である。
【図１３】本発明の第１の実施例の記録装置の表示手段に表示される画面（画像読み込み画面）の構成例を示す図である。
【図１４】本発明の第１の実施例の記録装置の表示手段に表示される画面（再生順変更画面）の構成例を示す図である。
【図１５】本発明の第１の実施例の記録装置の表示手段に表示される画面（ＢＧＭ変更画面）の構成例を示す図である。
【図１６】本発明の第２の実施例に係る記録装置の構成を示すブロック図である。
【図１７】本発明の第２の実施例に係る記録装置を用いた画像再生機器用データの記憶手順を示すフローチャート図である。
【図１８】本発明の第２の実施例に係る記録装置を用いた記録媒体の作成手順を示すフローチャート図である。
【図１９】本発明の第２の実施例の記録媒体におけるデータの記録領域を示す図である。
【図２０】本発明の第２の実施例の記録媒体におけるデータのフォルダ構造を示す図である。
【符号の説明】
【００６１】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  通信ネットワーク
１１  サーバ
１２  データ入力手段
１３  モード選択手段
１４  再生指示情報作成手段
１５  データ記録手段
１６  記憶手段
１７  データ生成手段
１８  モード選択画面
１９  画像読み込み画面
２０  タグ選択欄
２２  アルバム表示欄
２２  作業メニュー欄
２３  再生順変更画面
２４  ＢＧＭ変更画面
１００  ポリカーボネート基板
１０１  有機色素層
１０２  反射層
１０３  保護層
【図１】
2006086802.tif 000003
【図２】
2006086802.tif 000004
【図３】
2006086802.tif 000005
【図４】
2006086802.tif 000006
【図５】
2006086802.tif 000007
【図６】
2006086802.tif 000008
【図７】
2006086802.tif 000009
【図８】
2006086802.tif 000010
【図９】
2006086802.tif 000011
【図１０】
2006086802.tif 000012
【図１１】
2006086802.tif 000013
【図１２】
2006086802.tif 000014
【図１３】
2006086802.tif 000015
【図１４】
2006086802.tif 000016
【図１５】
2006086802.tif 000017
【図１６】
2006086802.tif 000018
【図１７】
2006086802.tif 000019
【図１８】
2006086802.tif 000020
【図１９】
2006086802.tif 000021
【図２０】
2006086802.tif 000022